(57)【要約】【課題】衣類乾燥用の空気を循環させる送風手段のモータの冷却効率を向上させた洗濯乾燥機を提供する。【解決手段】筐体１内に弾性支持された水槽３内に回転自在に設けられ衣類４を収容する回転槽５と、湿潤空気を除湿する吸熱器２１と、吸熱器２１で除湿された空気を加熱する放熱器２３と、放熱器２３と回転槽５と吸熱器２１を順に連通する放熱器・吸熱器風路２４、２２（以下「風路」という）と、風路内で空気を循環させると共にモータ３４を有する送風機１２とを具備し、モータ３４を風路内の大気圧より高い部位より導かれる空気によって冷却するようにしたもので、送風機１２による高温大風量循環時において、モータ３４を効率よく冷却できると共に、モータ３４の冷却効率が向上する分、モータ３４を小型にすることができるので、風路構成のコンパクト化を図ることもできる。【選択図】図３
2006204656.tif 000002
【特許請求の範囲】
【請求項１】
筐体内に弾性支持された水槽と、前記水槽内に回転自在に設けられ衣類を収容する回転槽と、湿潤空気を除湿する除湿手段と、前記除湿手段で除湿された空気を加熱する加熱手段と、前記加熱手段と前記回転槽と前記除湿手段を順に連通する風路と、前記風路内で空気を循環させると共にモータを有する送風手段とを具備し、前記モータを前記風路内の大気圧より高い部位より導かれる空気によって冷却するようにした洗濯乾燥機。
【請求項２】
モータを包囲するケースを設け、前記ケースを外気に晒すように配すると共に、前記ケースと前記モータとの間に間隙を設け、風路より導かれた空気を前記間隙に通して前記モータを冷却するようにした請求項１に記載の洗濯乾燥機。
【請求項３】
送風手段は、遠心ファンとスクロールケーシングを有し、前記スクロールケーシングの舌部の下流部近傍にモータ冷却用の空気を吐出する吐出部を設けた請求項１又は２に記載の洗濯乾燥機。
【請求項４】
回転槽から吹き出される空気の温度を検知する温度検知手段Ａを設け、前記温度検知手段Ａで検知した温度に応じて送風手段を制御すると共に、前記温度検知手段Ａを前記送風手段の下流側に設けた開口に装着するようにした請求項１〜３のいずれか１項に記載の洗濯乾燥機。
【請求項５】
風路とケース内とを連通するダクトを設け、前記ダクトでモータを冷却する空気を導く請求項２〜４のいずれか1項に記載の洗濯乾燥機。
【請求項６】
風路とモータ内部とを連通するダクトを設け、前記ダクトで前記モータを冷却する空気を導く請求項１、３、４のいずれか１項に記載の洗濯乾燥機。
【請求項７】
モータの温度を検知する温度検知手段Ｂを設け、前記温度検知手段Ｂの出力に応じて前記モータの回転を制御するようにした請求項１〜６のいずれか1項に記載の洗濯乾燥機。
【請求項８】
モータの温度を検知する温度検知手段Ｂと、ダクトを通過する空気の風量を変えるバルブを備え、前記温度検知手段Ｂの出力に応じて前記バルブを制御するようにした請求項５又は６に記載の洗濯乾燥機。
【請求項９】
除湿手段及び加熱手段を、圧縮機を用いたヒートポンプサイクルで構成した請求項１〜８のいずれか１項に記載の洗濯乾燥機。
【発明の詳細な説明】
【技術分野】
【０００１】
本発明は、洗濯・脱水と乾燥を同一回転槽内で行う洗濯乾燥機に関するものである。
【背景技術】
【０００２】
従来のこの種の洗濯乾燥機について、図１３を用いて説明する。
【０００３】
同図に示すように、洗濯乾燥機の筐体１の内部には、複数のサスペンション２によって弾性的に支持された円筒状の水槽３を設け、洗濯・脱水時の水槽３の振動をサスペンション２によって吸収する構成としている。水槽３の内部には、洗濯または乾燥対象物４（以下、衣類４という）を収容する円筒状で横軸型の回転槽５を回転自在に配設し、駆動モータ６により回転軸６ａを回転させて回転槽５を回転駆動するようになっている。
【０００４】
回転槽５の内壁には衣類を撹拌する複数のバッフル（図示せず）が設けられ、回転槽５の周壁には小孔５ａを多数設けている。筐体１の前面には衣類４を出し入れする開口部１ａと、これを開閉する扉７が設けられている。水槽３および回転槽５の前面側にも同様の開口部３ａ、５ｂを有し、この水槽３の開口部３ａはベローズ８によって筐体１の開口部１ａと水密に連結されている。水槽３の底部には洗濯水を排出する排水口９を有し、排水弁１０を介して排水ホース１１に連結され、その先端部は機外に導出されている。
【０００５】
送風機１２は、ヒータ１３によって加熱された温風を給気口１４から回転槽５内に送風供給するものである。循環ダクト１５は、回転槽５および水槽３を通過し湿った乾燥用空気の除湿を行うもので、一端を水槽３の下部の排気口１６に接続し、他端を送風機１２に接続している。給水弁１７は、水道の蛇口等に接続された給水ホース１８からの給水を制御するものである。
【０００６】
上記構成において、洗濯運転を行う場合は、扉７を開いて回転槽５内へ衣類４および洗剤を入れて運転を開始する。まず、給水弁１７が洗濯水側の給水口（図示せず）を開き、水槽３および回転槽５内に所定量の水が供給されると、駆動モータ６が作動し回転槽５が回転駆動され洗浄動作を行う。所定時間後、駆動モータ６が停止して排水弁１０が開き、汚れた水が回転槽５および水槽３から排水され、排水ホース１１を介して機外の排水場所へ排水される。次に、上記と同様に水槽３および回転槽５に水が供給され、すすぎ動作を行う。すすぎが終了すると排水弁１０が開いて排水された後、回転槽５が駆動モータ６により高速で回転駆動されることにより、衣類４の脱水が行われる。
【０００７】
以上のように洗濯運転が終了すると、乾燥運転が開始する。乾燥工程では駆動モータ６により低速で回転槽５を回転駆動させ衣類４を撹拌しながら、ヒータ１３で加熱された空気は温風となり、送風機１２により矢印ａの方向に送風され、送風路２０を通って給気口１４から矢印ｂの方向に回転槽５内へ送り込まれる。
【０００８】
この温風は、衣類４の水分を奪った後、回転槽５の小孔５ａから水槽３内を通過して排気口１６を経て循環ダクト１５へ至る。
【０００９】
このとき給水弁１７が冷却水側の給水口（図示せず）を開き、循環ダクト１５内に冷却水が注水されている。衣類４の水分を奪って湿気を含んだ温風がこの循環ダクト１５内を通過するとき、前記冷却水により冷却されて水分の結露が起こり、湿った温風は除湿されて矢印に示すように再び送風機１２へ戻る。この冷却水および結露水は排水弁１０を介して機外へ排水される。この送風機１２、ヒータ１３、給気口１４、回転槽５、水槽３、排気口１６、循環ダクト１５の循環経路で温風を循環させることにより、回転槽５内の衣類４を乾燥させることができる。
【００１０】
上記従来の構成では、衣類４の乾燥に使用された熱は、循環ダクト１５に注水される冷却水もしくは筐体１からの放熱によって全て外部に捨てられるものであり、再利用されることがなかった。
【００１１】
そこで、冷媒を圧縮する圧縮機と、圧縮された冷媒の熱を放熱する放熱器と、高圧の冷媒の圧力を減圧するための絞り手段と、減圧されて低圧となった冷媒が周囲から熱を奪う吸熱器とを、冷媒が循環するように管路で連結したヒートポンプ装置を洗濯乾燥機に設けることが提案されている（例えば、特許文献１参照）。この構成によれば、衣類より蒸発させた水分を吸熱器に結露させることにより効率よく衣類の乾燥が行えると共に、衣類からの水分を含んだ温風の熱が吸熱器で吸収され、それが冷媒を介して圧縮機に送られ、圧縮器で暖められた冷媒の熱が放熱器で放熱されて前記温風を再加熱することで、熱を有効に活用することができる。
【特許文献１】特公平６−７５６２８号公報
【発明の開示】
【発明が解決しようとする課題】
【００１２】
しかしながら、上記従来のヒートポンプ装置を搭載した洗濯乾燥機の構成では、圧縮機と放熱器と絞り手段と吸熱器とを銅管などの管路で連結して高圧の冷媒を循環させるが、放熱器や吸熱器等を形成する熱交換器は、通常フィンチューブタイプであり、電気ヒータ方式と比較して通風抵抗が大きくなることから、温風を循環させる送風機を駆動するモータを大型化して大風量を出す必要がある。そのためモータの入力が増加し温度上昇が大きくなるとともに、大型のモータを使用するため風路構成が大きくなりコンパクト性に欠けるものとなるため、ファンモータの効率的冷却や風路構成のコンパクト化が不可欠といった課題があった。
【００１３】
本発明は、上記従来の課題を解決するもので、大風量時においてもモータの温度上昇を効率的に抑え、風路構成のコンパクト化を図り、信頼性、耐久性、乾燥性能に優れた洗濯乾燥機を提供することを目的とする。
【課題を解決するための手段】
【００１４】
上記従来の課題を解決するために、本発明の衣類乾燥装置は、筐体内に弾性支持された水槽と、前記水槽内に回転自在に設けられ衣類を収容する回転槽と、湿潤空気を除湿する除湿手段と、前記除湿手段で除湿された空気を加熱する加熱手段と、前記加熱手段と前記回転槽と前記除湿手段を順に連通する風路と、前記風路内で空気を循環させると共にモータを有する送風手段とを具備し、前記モータを前記風路内の大気圧より高い部位より導かれる空気によって冷却するようにしたもので、送風手段による高温大風量循環時において、モータの温度コントロールができるので、必要回転数及び風量を維持した運転が可能となり、必要な乾燥性能を得ることができる。またモータへ吹き付ける湿潤空気内の水分の蒸発潜熱利用により、モータの冷却効果が増加し、乾燥効率が向上するという効果も得られる。さらにモータの信頼耐久性が向上するので、信頼性、耐久性、乾燥性能に優れた洗濯乾燥機を実現することができる。また、モータの冷却効率が向上する分、モータを小型にすることができるので、風路構成のコンパクト化を図ることもできる。
【発明の効果】
【００１５】
本発明の洗濯乾燥機は、大風量が必要な送風手段を用いる場合でも、送風手段のモータを大型化することなくモータの温度上昇を効率的に抑え風路構成のコンパクト化を図ることができるため、信頼性、耐久性、乾燥性能に優れた洗濯乾燥機を実現することができる。
【発明を実施するための最良の形態】
【００１６】
第１の発明は、筐体内に弾性支持された水槽と、前記水槽内に回転自在に設けられ衣類を収容する回転槽と、湿潤空気を除湿する除湿手段と、前記除湿手段で除湿された空気を加熱する加熱手段と、前記加熱手段と前記回転槽と前記除湿手段を順に連通する風路と、前記風路内で空気を循環させると共にモータを有する送風手段とを具備し、前記モータを前記風路内の大気圧より高い部位より導かれる空気によって冷却するようにしたもので、送風手段による高温大風量循環時において、モータの温度コントロールができるので、必要回転数及び風量を維持した運転が可能となり、必要な乾燥性能を得ることができる。またモータへ吹き付ける湿潤空気内の水分の蒸発潜熱利用により、モータの冷却効果が増加し、乾燥効率が向上するという効果も得られる。さらにモータの信頼耐久性が向上するので、信頼性、耐久性、乾燥性能に優れた洗濯乾燥機を実現することができる。また、モータの冷却効率が向上する分、モータを小型にすることができるので、風路構成のコンパクト化を図ることもできる。
【００１７】
第２の発明は、特に、第１の発明のモータを包囲するケースを設け、前記ケースを外気に晒すように配すると共に、前記ケースと前記モータとの間に間隙を設け、風路より導かれた空気を前記間隙に通して前記モータを冷却するようにしたもので、冷却用の空気をモータとケースの間隙を通すことにより効率良くモータを冷却することができる。またケースが外気に晒されているので、外気と熱交換が行われ、冷却効率がさらに向上し、信頼性、耐久性、乾燥性能に優れた洗濯乾燥機を実現することができる。
【００１８】
第３の発明は、特に、第１又は第２の発明の送風手段は、遠心ファンとスクロールケーシングを有し、前記スクロールケーシングの舌部の下流部近傍にモータ冷却用の空気を吐出する吐出部を設けたもので、大気圧より高いスクロールケーシングの部位でありながら比較的低圧部である舌部の下流部近傍に吐出部が有るので、衣類乾燥用の風量特性に大きな影響を与えることなく、また騒音の発生を最小限に抑えて必要風量を確保するため、信頼性、耐久性、乾燥性能に優れた洗濯乾燥機を実現することができる。
【００１９】
第４の発明は、特に、第１〜３のいずれかひとつの発明の回転槽から吹き出される空気の温度を検知する温度検知手段Ａを設け、前記温度検知手段Ａで検知した温度に応じて送風手段を制御すると共に、前記温度検知手段Ａを前記送風手段の下流側に設けた開口に装着するようにしたもので、例えば、前記温度検知手段Ａで検知した温度の変化から衣類の乾燥具合を判断し、その乾燥具合に応じて送風手段の回転数を変えるようにすれば、無駄な電力消費が抑制できる。また、温度検知手段Ａが下流側の開口に設けられているので、乾燥風量特性に大きな影響を与えることなく、騒音の発生を最小限に抑えて必要風量を確保するため、信頼性、耐久性、乾燥性能に優れた洗濯乾燥機を実現することができる。また、温度検知手段Ａを、吐出部に連通する開口に設けるようにすれば、開口は一箇所で済むので、さらに乾燥風量特性への影響を低減できる。
【００２０】
第５の発明は、特に、第２〜４のいずれかひとつの発明の風路とケース内とを連通するダクトを設け、前記ダクトでモータを冷却する空気を導くもので、全てのモータ冷却用の空気を、モータに接触させることができるため冷却効率が上昇し、信頼性、耐久性、乾燥性能に優れた洗濯乾燥機を実現することができる。
【００２１】
第６の発明は、特に、第１、３、４のいずれかひとつの発明の風路とモータ内部とを連通するダクトを設け、前記ダクトで前記モータを冷却する空気を導くもので、冷却用空気で直接モータ内のコイルを冷却することができるため、温度コントロールが容易になり、効率の良いモータ冷却を行うことができ、信頼性、耐久性、乾燥性能に優れた洗濯乾燥機を実現することができる。
【００２２】
第７の発明は、第１〜６のいずれか１つの発明のモータの温度を検知する温度検知手段Ｂを設け、前記温度検知手段Ｂの出力に応じて前記モータの回転を制御するようにしたもので、モータの温度を検知することにより、モータのコイルの使用温度上限値を守る回転数制御が可能になり、温度コントロール制に優れた効率の良いモータ冷却を行うことができ、信頼性、耐久性、乾燥性能に優れた洗濯乾燥機を実現することができる。
【００２３】
第８の発明は、第５又は第６の発明のモータの温度を検知する温度検知手段Ｂと、ダクトを通過する空気の風量を変えるバルブを備え、前記温度検知手段Ｂの出力に応じて前記バルブを制御するようにしたもので、モータ内のコイルの使用可能コイル温度の上限値を守る制御が可能となるので、温度コントロール制に優れた効率の良いモータ冷却を行うことができ、信頼性、耐久性、乾燥性能に優れた洗濯乾燥機を実現することができる。
【００２４】
第９の発明は、第１〜８のいずれか１つの発明の除湿手段及び加熱手段を、圧縮機を用いたヒートポンプサイクルで構成したもので、冷媒を使用する除湿手段で除湿が行われるため、電気ヒータ方式に比べて、送風手段を通過する温風の温度が低くなるので、モータ冷却効果が大きくなり、その分小型の送風手段で大風量化を図ることができるので、風路がコンパクトで、信頼性、耐久性、乾燥性能に優れた洗濯乾燥機を実現することができる。
【００２５】
以下に、本発明の実施の形態について図面を参照しながら説明する。なお、この実施の形態により本発明が、限定されるものではない。
【００２６】
（実施の形態１）
図１は、本発明の第１の実施の形態における洗濯乾燥機の外観斜視図、図２は、同洗濯乾燥機の筐体１の背面１ｂ方向から見た断面図、図３は、筐体１の側面１ｃ方向から見た断面図、図４は、同洗濯乾燥機の送風機部の断面図、図５は、同洗濯乾燥機に搭載されたヒートポンプ装置の構成と乾燥用空気の流れを示すシステム概念図である。
【００２７】
図１〜５において、洗濯乾燥機の筐体１の内部には、複数のサスペンション２によって弾性的に支持された円筒状の水槽３を設け、洗濯・脱水時の水槽３の振動をサスペンション２によって吸収する。
【００２８】
水槽３の内部には、衣類４を収容する円筒状で横軸型の回転槽５が回転自在に設けられ、回転槽５は、駆動モータ６により回転駆動される。筐体１の前面には衣類４を出し入れする開口部１ａと、これを開閉する扉７が設けられている。水槽３および回転槽５の前面側にも同様の開口部３ａ、５ｂを有し、この水槽３の開口部３ａはベローズ８によって筐体１の開口部１ａと水密に連結されている。水槽３の底部には洗濯水を排出する排水口（図示せず）が設けられ、前記排水口は、排水弁（図示せず）を介して排水ホース１１に連結されている。
【００２９】
１２は、送風手段となる送風機で、筐体１の上面１ｄと水槽３が成す隅部空間に位置するように、水槽３の外周面に設けられている。筐体１の背面下部には、ヒートポンプ装置を構成する熱交換器からなり除湿手段となる吸熱器２１と、吸熱器２１に矢印ｃの方向に空気を流す熱交換風路の一部である吸熱器風路２２と、同様に熱交換器からなり加熱手段となる放熱器２３と、放熱器２３に矢印ｄの方向に空気を流す熱交換風路の一部である放熱器風路２４とが配されている。
【００３０】
また、吸熱器２１と放熱器２３は、略ハの字状になるように並べて配設され、吸熱器風路２２と放熱器風路２４とは循環ダクト２５で連通しており、吸熱器２１および放熱器２３を通過する空気が効率よく略Ｕ字状に流れるようになっている。さらに吸熱器風路２２と放熱器風路２４と循環ダクト２５は一体にコンパクトに構成することができるため、ユニットとして筐体１の背面下部に固定されている。
【００３１】
送風機１２で送風される乾燥用空気は、可撓性接続管１９を通って吸熱器風路２２の吸熱器２１を通過し、循環ダクト２５を介して放熱器風路２４の放熱器２３を通過して、可撓性接続管１９、送風路２０を通り、図３の矢印ｂに示すように、給気口１４から回転槽５内に入り、回転槽５内の衣類４を通過した後、回転槽５の小孔５ａから排気口１６を経て、送風機１２へ戻り、循環するようになっている。
【００３２】
また、ヒートポンプ装置は、図５に示すように縦型圧縮機２６、および圧縮された冷媒の熱を放熱する放熱器２３、および高圧の冷媒の圧力を減圧するための絞り弁や毛細管等からなる絞り手段２７、および減圧されて低圧となった冷媒が周囲から熱を奪う吸熱器２１とを、冷媒が循環するように管路２８で連結されており、冷媒は矢印ｅの方向に流れて循環し、ヒートポンプサイクルを実現する。
【００３３】
以上のような構成からなる洗濯乾燥機の動作について説明する。
【００３４】
洗浄工程では、排水弁（図示せず）を閉じた状態で、水槽３内に所定の水位に達するまで給水を行い、駆動モータ６により衣類４と洗浄水の入った回転槽５を回転させて洗浄を行う。また、洗浄後の濯ぎ工程でも、洗浄工程と同様に水槽３内に給水し、回転槽５を回転させて衣類４の濯ぎを行う。脱水工程では、排水弁を開いて機外へ水を排水した後、駆動モータ６により衣類４の入った回転槽５を高速回転して脱水する。
【００３５】
乾燥工程では、ヒートポンプ装置の縦型圧縮機２６を作動させると、冷媒が圧縮され、この圧力により冷媒が放熱器２３、絞り手段２７、吸熱器２１を循環する。放熱器２３では、冷媒の圧縮で熱が放出され、吸熱器２１では絞り手段２７で減圧されて低圧となった冷媒により熱が吸収される。このとき送風機１２が作動し、放熱器２３の放熱により加熱された温風が送風路２０を通って給気口１４から回転槽５内に送風される。回転槽５は駆動モータ６により回転駆動され衣類４は上下に撹拌される。
【００３６】
回転槽５内に送風された温風は、この衣類４の隙間を通るときに水分を奪い、湿った状態で水槽３の排気口１６を経て送風機１２を通り、吸熱器風路２２に至る。この湿った温風は、吸熱器２１を通過する際に顕熱と潜熱が奪われて除湿され、乾いた空気と結露水に分離される。この乾いた空気は、循環ダクト２５を通って放熱器風路２４に入り、放熱器２３で再び加熱され温風となって、送風路２０へと循環する。結露水は吸熱器２１の下部に設けられた貯水室２９に貯水され、排水ポンプ３０を介して排水ホース１１より機外へ排出される。
【００３７】
このようにヒートポンプ装置を用いることにより、吸熱器２１で吸熱した熱を冷媒で回収して再び放熱器２３で放熱して、縦型圧縮機２６に入力したエネルギー以上の熱量を衣類４に与えることができるため、乾燥効率を向上させることができるので乾燥時間の短縮と省エネを実現することが可能になる。
【００３８】
さらに送風機１２は、モータ３４によって回転駆動される遠心ファン３１を用いたスクロールケーシング３２を有し、その舌部３３の下流近傍の大気圧より高い圧力を有する部位にモータ３４を冷却するための空気を吐出する吐出部３５を設けている。
【００３９】
またモータ３４を包囲するケース３６を設け、そのケース３６を外気に晒すように筐体１より露出させると共に、ケース３６とモータ３４との間にモータ３４冷却用の空気を通す間隙Ｇを設けている。これにより大気圧より高いスクロールケーシング３２の部位でありながら比較的低圧部である舌部３３の下流部近傍に吐出部３５を設けているため、乾燥風量特性に大きな影響を与えることなく、発生騒音を最小限に抑えて必要風量を確保することができる。
【００４０】
又、モータ３４冷却用の空気を、モータ３４とケース３６の間隙Ｇを通すことにより効率良くモータ３４を冷却することができ、また、ケース３６を筐体１より露出させて外気に晒すことで、外気と熱交換され、冷却の効率を上げることができる。このように遠心ファン３１の高温大風量循環時において、モータ３４の温度コントロールが可能であるため、必要回転数及び風量を維持した運転が可能となるため乾燥性能を維持することができる。
【００４１】
またモータ３４へ吹き付ける湿潤空気内の水分の蒸発潜熱利用によりモータ３４の冷却効果が増加し、乾燥効率向上という効果も得られるとともにモータ３４の信頼耐久性を向上させることができる。
【００４２】
なお、本実施の形態では、ヒートポンプ装置を用いた加温除湿方式としているが、電気ヒータによる加温方式でも良い。またヒートポンプ装置に使用する冷媒は、フロン系に限らず自然冷媒である二酸化炭素やイソブタン、プロパンを使用しても良い。
【００４３】
また、上記実施の形態では、洗濯乾燥機を例に説明したが、本発明を、乾燥専用機に応用しても良い。また、本実施の形態では、ヒートポンプ装置に縦型圧縮機を使用したが、横型圧縮機を使用してもよい。
【００４４】
（実施の形態２）
図６は、本発明の第２の実施の形態における洗濯乾燥機の送風機の断面図である。なお、上記第１の実施の形態と同一部分については、同一符号を付して詳細な説明は省略する。
【００４５】
本実施の形態は、図６に示すように、回転槽５から吹き出す乾燥用空気の温度を検知する温度検知手段Ａ３７を、送風機１２の下流側に設けられ吐出部３５に連通する開口３２ａに装着し、前記温度検知手段Ａ３７で検知された空気の温度変化から衣類４の乾燥具合を判定すると共に、それに応じて遠心ファン３１を駆動するモータ３４や縦型圧縮機２６を図示しない制御手段で制御するようにしたものである。
【００４６】
以上のように、本実施の形態によれば、例えば、前記温度検知手段Ａ３７で検知した温度の変化から衣類の乾燥具合を判断し、その乾燥具合に応じて遠心ファン３１の回転数を変えるようにすれば、モータ３４による無駄な電力消費が抑制できる。また、温度検知手段Ａ３７を吐出部３５に連通する開口３２ａ内に設けているので、衣類４の乾燥風量特性に大きな影響を与えることなく、しかも騒音の発生を最小限に抑えて、必要な風量を確保することができるものである。
【００４７】
（実施の形態３）
図７は、本発明の第３の実施の形態における洗濯乾燥機の送風機の断面図である。なお、上記実施の形態と同一部分については、同一符号を付して詳細な説明は省略する。
【００４８】
本実施の形態は、図７に示すように、ケース３６の一部にモータ３４を冷却する冷却用空気を吐出する吐出部３５を設け、吐出部３５と遠心ファン３１の下流側の風路１２ａと連通するダクト３８を設けて、前記ダクト３８を介してモータ３４へ冷却用空気を導くようにしたもので、前記ダクト３８を設けることにより、風路１２ａから流出する全ての冷却用空気をモータ３４に接触させることができるため、モータ３４の冷却効率を向上することができる。
【００４９】
（実施の形態４）
図８は、本発明の第４の実施の形態における洗濯乾燥機の送風機１２の断面を示す。なお、上記実施の形態と同一部分については、同一符号を付して詳細な説明は省略する。
【００５０】
本実施の形態は、図８に示すように、ダクト３８で、遠心ファン３１の下流側の風路１２ａとモータ３４の内部とを連通させて、モータ３４内部へ冷却用空気を導き、モータ３４内のコイル３９を直接冷却した後、排気口３４ｂから排気するようにしたもので、モータ３４の温度コントロール性に優れ、効率良くモータ３４の冷却を行うことができる。
【００５１】
（実施の形態５）
図９は、本発明の第５の実施の形態における洗濯乾燥機の送風機の断面図、図１０は、同送風機のモータ温度とモータ回転数の時間特性を示す。なお、上記実施の形態と同一部分については、同一符号を付して詳細な説明は省略する。
【００５２】
本実施の形態は、図９、図１０に示すように、モータ３４の温度を検知する温度検知手段Ｂ４０と、前記温度検知手段Ｂ４０の出力に応じてモータ３４の回転を制御する制御手段（図示せず）を設け、モータ３４のコイル３９の温度が使用制限値に近づくに従ってモータ３４の回転数を落とすように入力を下げる制御を行い、コイル３９の温度の上昇を抑えるようにしたものである。逆にコイル３９の温度が下降した場合は、モータ３４の回転数を上げる制御を行う。
【００５３】
以上のように、本実施の形態によれば、温度検知手段Ｂ４０でモータ３４の温度を検知することにより、使用可能コイル温度の上限値を守る回転数制御が可能となり、温度コントロール制に優れた効率の良いモータ冷却を行うことができる。
【００５４】
（実施の形態６）
図１１は、本発明の第６の実施の形態における洗濯乾燥機の送風機の断面図、図１２は、同送風機のモータ温度とバルブ開閉の時間特性を示すものである。なお、上記実施の形態と同一部分については、同一符号を付して詳細な説明は省略する。
【００５５】
本実施の形態は、図１１に示すように、モータ３４の温度を検知する温度検知手段Ｂ４０と、風路１２ａとモータ３４内と連通するダクト３８を通過する風量を変えるバルブ４１と、前記温度検知手段Ｂ４０の出力に応じてバルブ４１の開閉を制御する制御手段（図示せず）を設けたもので、モータ３４のコイル３９の温度が使用制限値に近づくに従ってバルブ４１を開の方向に制御してより多くの冷却用空気を導入して、コイル３９の温度上昇を抑えるようにし、逆に、コイル３９の温度が下降した場合は、バルブ４１を閉の方向に制御するものである。
【００５６】
以上のように本実施の形態によれば、温度検知手段Ｂ４０でモータ３４の温度を検知し、その検知結果に応じてダクト３８を通過する風量を変化させることにより、使用可能コイル温度の上限値を守る制御が可能となり、温度コントロール性に優れた効率の良いモータ冷却を行うことができる。
【産業上の利用可能性】
【００５７】
以上のように、本発明にかかる洗濯乾燥機は、ヒートポンプ装置を用いた風路などで、大風量が必要な送風手段を使用する場合でも、送風手段のモータを大型化することなくモータの温度上昇を効率的に抑え風路構成のコンパクト化を図ることができるため、信頼性、耐久性に優れた高い乾燥効率を保持することができるので乾燥、除湿を行う洗濯機等に有用である。
【図面の簡単な説明】
【００５８】
【図１】本発明の実施の形態１における洗濯乾燥機の外観斜視図
【図２】同洗濯乾燥機の断面図
【図３】同洗濯乾燥機の断面図
【図４】（ａ）同洗濯乾燥機の送風機の正面断面図（ｂ）同洗濯乾燥機の送風機の側断面図
【図５】同洗濯乾燥機のシステム概念図
【図６】本発明の実施の形態２における洗濯乾燥機の送風機の断面図
【図７】本発明の実施の形態３における洗濯乾燥機の送風機の断面図
【図８】本発明の実施の形態４における洗濯乾燥機の送風機の断面図
【図９】本発明の実施の形態５における洗濯乾燥機の送風機の断面図
【図１０】同送風機のモータ温度とモータ回転数の時間特性図
【図１１】本発明の実施の形態６における洗濯乾燥機の送風機の断面図
【図１２】同送風機のモータ温度とバルブ開閉の時間特性図
【図１３】従来の洗濯乾燥機の断面図
【符号の説明】
【００５９】
１    筐体
３    水槽
４    洗濯対象物（衣類）
５    回転槽
１２  送風機（送風手段）
１４  給気口
２０  送風路（風路）
２１  吸熱器（除湿手段）
２２  吸熱器風路（風路）
２３  放熱器（加熱手段）
２４  放熱器風路（風路）
２６  縦型圧縮機
３１  遠心ファン（送風手段）
３２  スクロールケーシング（送風手段）
３３  舌部
３４  モータ（送風手段）
３５  吐出部
３６  ケース
３７  温度検知手段Ａ
３８  ダクト
３９  コイル
４０  温度検知手段Ｂ
【図１】
2006204656.tif 000003
【図２】
2006204656.tif 000004
【図３】
2006204656.tif 000005
【図４】
2006204656.tif 000006
【図５】
2006204656.tif 000007
【図６】
2006204656.tif 000008
【図７】
2006204656.tif 000009
【図８】
2006204656.tif 000010
【図９】
2006204656.tif 000011
【図１０】
2006204656.tif 000012
【図１１】
2006204656.tif 000013
【図１２】
2006204656.tif 000014
【図１３】
2006204656.tif 000015